(57)【特許請求の範囲】
【請求項１】
無線端末との間で、少なくとも１つの制御チャネルを介して制御情報を交信し、各無線端末に割り当てられたトラヒックチャネルを介してユーザ情報を交信する少なくとも１つの無線基地局からなる放送情報配信システムであって、
上記基地局が、
上記制御チャネルに、システム情報と、同報フレームに関する送信条件を定義した同報制御情報とを送信するための制御チャネル送信回路と、
それぞれトラフィックチャネルにユーザ情報を送信するための複数のトラフィックチャネル送信回路と、
上記同報制御情報で定義された特定のチャネルに、上記送信条件に従って、不特定の無線端末で受信可能な放送情報を含んだ同報フレームを送信するための同報チャネル送信回路とを備え、
上記同報フレームが、フレームヘッダと、該フレームヘッダに続く複数のサブフレームとからなり、上記複数サブフレームが、それぞれ異なる放送情報を含み、上記フレームヘッダが、上記各サブフレームに含まれる放送情報に関する案内情報として、上記各サブフレームに含まれる放送情報の種類を表す分類情報と、上記各サブフレームの送信タイミングを示す時刻情報とを含み、
上記各無線端末が、
上記制御チャネルで制御情報を受信する制御チャネル受信回路と、
ユーザ情報を受信するトラヒックチャネル受信回路と、
上記制御チャネル受信回路で受信された同報制御情報によって特定される同報チャネルから同報フレームを受信し、該同報フレームに含まれる案内情報に従って、上記同報フレーム中の特定のサブフレームに含まれる放送情報を選択的に受信するための同報チャネル受信回路と、
上記同報チャネル受信回路で受信された放送情報を蓄積するための記憶装置と、
上記放送情報のうちの１つを指定するための入力装置と、
上記同期制御情報が示すフレームの送信条件に従って、上記同報チャネル受信回路を起動し、上記同報フレームのフレームヘッダを受信した後、上記指定された放送情報を含むサブフレームが送信される迄の期間、上記同報チャネル受信回路への電源供給を休止し、上記サブフレームの送信期間に上記同報チャネル受信回路を再動作させるための電源制御装置とを有することを特徴とする放送情報配信システム。
【請求項２】
前記同報制御情報が、前記送信条件として、該同報フレームの送信時刻を示す情報を含むことを特徴とする請求項１に記載の放送情報配信システム。
【請求項３】
前記同報制御情報が、前記送信条件として、前記同報フレームの送信チャネルを指定する情報と、前記同報フレームの送信時刻を示す情報とを含むことを特徴とする請求項１に記載の放送情報配信システム。
【請求項４】
前記各サブフレームは、サブフレームヘッダと、それぞれ放送情報ブロックを含む複数の情報パケットを含むことを特徴とする請求項１に記載の放送情報配信システム。
【請求項５】
前記各無線端末の電源制御装置が、前記制御チャネル受信回路で受信された同報制御情報が示す次の同報フレームの送信時刻に従って、前記同報チャネル受信回路を自動的に起動する機能を有することを特徴とする請求項１に記載の放送情報配信システム。
【請求項６】
それぞれ異なる放送情報を含む複数のサブフレームと、上記各サブフレームに含まれる放送情報に関する案内情報として、上記各サブフレームに含まれる放送情報の種類を表す分類情報と、上記各サブフレームの送信タイミングを示す時刻情報とを含むフレームヘッダとからなる同報フレームを生成するためのプロバイダと、
無線端末との間で、上り、下りの各方向で少なくとも１つの制御チャネルを介して制御情報を交信し、上記無線端末に割り当てられた上り、下りの１対のトラヒックチャネルを介してユーザ情報を交信する無線基地局とからなる放送情報配信システムであって、
上記無線基地局が、
下り制御チャネルに、システム情報と、同報フレームに関する送信条件を定義した同報制御情報とを送信するための制御チャネル送信回路と、
上記放送情報プロバイダで生成された同報フレームを、上記同報制御情報で定義された特定のチャネルに、上記送信条件に従って送信するための同報チャネル送信回路とを有し、
上記同報制御情報が、上記送信条件として、上記同報フレームの送信チャネルを指定する情報と、上記同報フレームの送信時刻を示す情報とを含み、
上記各無線端末が、
上記制御チャネルで制御情報を受信する制御チャネル受信回路と、
ユーザ情報を受信するトラヒックチャネル受信回路と、
上記制御チャネル受信回路で受信された同報制御情報によって特定される同報チャネルから同報フレームを受信し、該同報フレームに含まれる案内情報に従って、上記同報フレーム中の特定のサブフレームに含まれる放送情報を選択的に受信するための同報チャネル受信回路と、
上記同報チャネル受信回路で受信された放送情報を蓄積するための記憶装置と、
上記放送情報のうちの１つを指定するための入力装置と、
上記同期制御情報が示す同期フレームの送信時刻に上記同報チャネル受信回路を起動し、上記同報フレームのフレームヘッダを受信した後、上記指定された放送情報を含むサブフレームが送信される迄の期間、上記同報チャネル受信回路への電源供給を休止し、上記サブフレームの送信期間に上記同報チャネル受信回路を再動作させるための電源制御装置とを有することを特徴とする放送情報配信システム。
【請求項７】
前記各無線端末の電源制御装置が、前記制御チャネル受信回路で受信された同報制御情報が示す次の同報フレームの送信時刻に従って、前記同報チャネル受信回路を自動的に起動する機能を有することを特徴とする請求項６に記載の放送情報配信システム。
【請求項８】
無線基地局と、複数の無線端末とからなり、上記無線基地局と各無線端末の間で、少なくとも１つの制御チャネルを介して制御情報を交信し、各無線端末毎に割り当てられた上り方向と下り方向の一対のトラヒックチャネルを介してユーザ情報を交信する無線通信システムであって、
上記無線基地局が、
上記制御チャネルに同報フレームに関する送信条件を示す同報制御情報を送信するための制御チャネル送信回路と、
上記同報制御情報が示す送信条件によって特定される同報チャネルに、上記送信条件に従って、放送情報供給システムから供給された不特定の無線端末に配信すべき複数種類の放送情報を含む同報フレームを送信するための同報チャネル送信回路とを有し、
上記同報フレームが、フレームヘッダと、該フレームヘッダに続く複数のサブフレームとからなり、上記複数のサブフレームが、それぞれ異なる放送情報を含み、上記フレームヘッダが、上記各サブフレームに含まれる放送情報に関する案内情報として、上記各サブフレームに含まれる放送情報を識別するための情報と、上記各サブフレームの送信タイミングを示す時刻情報とを含み、
上記各無線端末が、
上記制御チャネルで制御情報を受信する制御チャネル受信回路と、
ユーザ情報を受信するトラヒックチャネル受信回路と、
上記制御チャネル受信回路で受信された同報制御情報に基いて、上記同報チャネルから上記同報フレームを受信し、該同報フレームの案内情報に従って、上記同報フレーム中の特定のサブフレームに含まれる放送情報を選択的に受信するための同報チャネル受信回路と、
上記同報チャネル受信回路で受信された放送情報を蓄積するための記憶装置と、
上記記憶装置に蓄積された放送情報を出力するための出力装置と、
上記放送情報のうちの１つを指定するための入力装置と、
上記同期制御情報が示す同期フレームの送信時刻に上記同報チャネル受信回路を起動し、上記同報フレームのフレームヘッダを受信した後、上記指定された放送情報を含むサブフレームが送信される迄の期間、上記同報チャネル受信回路への電源供給を休止し、上記サブフレームの送信期間に上記同報チャネル受信回路を再動作させるための電源制御装置とを有することを特徴とする放送情報配信システム。
【請求項９】
前記各無線端末の電源制御装置が、前記制御チャネル受信回路で受信された同報制御情報が示す次の同報フレームの送信時刻に従って、前記同報チャネル受信回路を自動的に起動する機能を有することを特徴とする請求項８に記載の放送情報配信システム。
【請求項１０】
前記各無線端末が、前記同報チャネル受信回路で受信された放送情報が暗号化されていた場合、前記放送情報供給システムと自動的に交信して、上記暗号化された放送情報を解読するための解読キーを取得するための手段を備えることを特徴とする請求項８に記載の無線通信システム。
【請求項１１】
無線基地局との間で、少なくとも１つの制御チャネルを介して制御情報を交信し、各無線端末に割り当てられた上り方向と下り方向の一対のトラヒックチャネルを介してユーザ情報を交信する無線端末装置であって、
上記制御チャネルで制御情報を受信する制御チャネル受信回路と、
ユーザ情報を受信するトラヒックチャネル受信回路と、
上記制御チャネル受信回路で受信された同報制御情報によって特定される同報チャネルから同報フレームを受信し、該同報フレームに含まれる案内情報に従って、上記同報フレーム中の特定のサブフレームに含まれる放送情報を選択的に受信するための同報チャネル受信回路と、
上記同報チャネル受信回路で受信された放送情報を蓄積するための記憶装置と、
上記記憶装置に蓄積された放送情報を出力するための出力装置と、
上記放送情報のうちの１つを指定するための入力装置と、
上記同期制御情報が示す同期フレームの送信時刻に上記同報チャネル受信回路を起動し、上記同報フレームのフレームヘッダを受信した後、上記指定された放送情報を含むサブフレームが送信される迄の期間、上記同報チャネル受信回路への電源供給を休止し、上記サブフレームの送信期間に上記同報チャネル受信回路を再動作させるための電源制御装置
上記同報フレームのフレームヘッダが、上記案内情報として、上記各サブフレームに含まれる放送情報を識別するための情報と、上記各サブフレームの送信タイミングを示す時刻情報とを含むことを特徴とする無線端末装置。
【請求項１２】
前記選択的に受信すべき放送情報が暗号化されている場合に、受信された放送情報を解読するための解読キーを取得するための手段を備えたことを特徴とする請求項１１に記載の無線端末装置。
【発明の詳細な説明】
【０００１】
【発明の属する技術分野】
本発明は情報配信システムに関し、更に詳しくは、無線通信システムの基地局から放送情報を送信し、各無線端末においてユーザによって予約された情報を自動的に収集できるようにした放送情報配信システム、無線通信システム、および無線端末装置に関する。
【０００２】
【従来の技術】
通信回線を利用したコンピュータネットワークでは、各端末ユーザが宛先装置との間に個別の双方向回線を設定することによって、所望の情報サイトから必要な情報を引き出すことが可能である。例えば、端末装置とインタネット接続装置との間に双方向回線を設定すれば、任意のＷＥＢから情報を引き出し、端末装置に表示することが可能である。
【０００３】
【発明が解決しようとする課題】
しかしながら、従来の通信ネットワークで所望の情報提供装置をアクセスするためには、各端末ユーザが、端末装置と上記情報提供装置との間に通信回線を設定するための複雑な通信手順を実行する必要があり、所望の情報を取得する迄に時間がかかると言う問題がある。また、情報提供システムから端末への情報の送信は、各ユーザ端末毎に確立された専用の通信チャネルを介して行われるため、所望の情報入手に必要な通信料金が高額になるという問題がある。上述した問題は、携帯電話やＰＨＳ（Personal Handyphone System）などの無線通信システムの端末装置が、無線チャネルを介して情報提供装置をアクセスする場合に特に顕著になる。
【０００４】
尚、不特定多数の車載ラジオに対して、道路の混雑状況を示す交通情報などの報知情報を放送する情報報知システムとして、例えば、特開平１０−２２９５１号公報では、送信機から、それぞれがＩＤヘッダと、複数の情報エレメントに分割された情報データと、ＥＯＦとからなる複数グループの報知情報を周波数変換して繰り返して放送し、受信機側で、受信した全ての情報グループをメモリに記憶し、視聴者が操作パネルで選択した区分の情報グループをメモリから読み出し、周波数逆変換してスピーカに出力することによって、視聴者が放送時間帯に関係なく報知情報を聞けるようにしたシステム構成が公知となっている。
上記公報に記載のシステムでは、放送された全ての情報グループを受信機側で記憶することを前提としており、特定グループの情報を選択的に受信することができない。
【０００５】
本発明の目的は、各ユーザが必要とする情報を簡単な手順で、安価に提供できる情報配信システムおよび無線通信システムを提供することにある。
本発明の他の目的は、電池で動作する移動端末のユーザに対して、電池の消耗をできるだけ抑制して、所望の情報を効率的に配信できる情報配信システムおよび無線通信システムを提供することにある。
本発明の他の目的は、端末ユーザが、所望の情報を自分に都合の良いタイミングで参照可能な放送情報配信システムおよび無線通信システムを提供することにある。
本発明の更に他の目的は、有料情報に対する課金に適した放送情報配信システムおよび無線通信システムを提供することにある。
本発明の更に他の目的は、情報を複数のユーザ端末に効率良く配信できる無線基地局、および、ユーザが所望する情報を効率良く受信できる無線端末装置を提供することにある。
【０００６】
【課題を解決するための手段】
上記目的を達成するために、本発明の情報配信システムは、複数の無線端末との間で、少なくとも１つの制御チャネルを介してシステム制御情報を交信し、各無線端末に割り当てられたトラヒックチャネルを介してユーザ情報を交信する無線基地局を利用する。
本発明で利用する無線基地局は、上記制御チャネルに、システム制御情報と同報フレームに関する送信条件を定義した同報制御情報とを送信するための制御チャネル送信回路と、上記同報制御情報で定義された特定のチャネルに、上記送信条件に従って、不特定の無線端末で受信可能な放送情報を含んだ同報フレームを送信するための同報チャネル送信回路とを備えたことを特徴とする。
【０００７】
例えば、ＣＤＭＡ(Code Division Multiple Access）技術を用いたセルラシステムの場合、無線チャネルは、送信情報のスペクトル拡散に使用される拡散コードによって特定できる。送信側で或る拡散コードによってスペクトル拡散された送信信号は、受信側で同一の拡散コードを使用して逆拡散した場合にのみ、受信可能である。従って、無線基地局から各端末に、同報チャネルで使用した拡散コードや伝送速度等のチャネル情報を予め通知することができれば、全ての端末が同報チャネルの送信情報を受信することができる。
【０００８】
本発明によれば、制御チャネルに送信する同報制御情報によって、各端末に同報チャネルのチャネル情報を通知することにより、基地局セル内に位置する全端末が放送情報を受信可能となる。また、本発明によれば、セルラシステム等の無線通信システムのインフラを利用して、各無線基地局から放送情報を送信するようにしているため、各無線基地局のカバーエリアに応じて、地域的に特徴のある放送情報を無線端末に配信することができる。無線基地局から、同一内容をもつ同報フレームを周期的に複数回放送し、各、無線端末が、伝送エラーにより正常受信できなかった放送情報を次の同報フレームで再度受信することによって、信頼性の高い情報配信が可能となる。
【０００９】
本発明の他の特徴は、上記同報制御情報が、同報チャネル（または拡散コード）の指定情報の他に、同報フレームの送信時刻を示す情報を含み、各同報フレームが、それぞれ異なる放送情報を含む複数のサブフレームと、上記各サブフレームのコンテンツ（放送情報）に関する案内情報を含むフレームヘッダとから構成されたことにある。上記各サブフレームは、例えば、サブフレームヘッダと、放送情報ブロックを含む複数の情報パケットからなる。
【００１０】
本発明の放送情報配信システムを利用する各無線端末は、制御チャネルで制御情報を受信する制御チャネル受信回路と、上記制御チャネル受信回路で受信された同報制御情報に基いて、上記同報チャネルから上記同報フレームを受信し、同報フレームヘッダが示す案内情報に従って、上記同報フレーム中の特定のサブフレームに含まれる放送情報を選択的に受信するための同報チャネル受信回路と、上記同報チャネル受信回路で受信された放送情報を蓄積するための記憶装置と、上記記憶装置に蓄積された放送情報を出力するための出力装置とを有することを特徴とする。
【００１１】
本発明の他の特徴は、上記同報フレームヘッダが、案内情報として、各サブフレームに含まれる放送情報の特徴、例えばコンテンツ名称と、上記各サブフレームの送信タイミングを示す時刻情報とを含み、各無線端末が、受信すべき放送情報を指定するための入力装置と、上記同報フレームのフレームヘッダを受信した後、上記指定された放送情報を含むサブフレームが送信される迄の間、同報チャネル受信回路への電源供給を休止するための電源制御装置と備えた構成にある。
上述したように、制御チャネルで同報フレームの送信時刻を予告することよって、各端末は、次の同報フレームの先頭が到来する迄、同報チャネルの受信回路を休止させることができる。また、各端末が、予めユーザが予約した放送情報の識別子を記憶しておき、フレームヘッダの受信を完了した時点で同報チャネル受信回路を一旦休止状態にし、上記予約された放送情報を含む目的サブフレームの送信タイミングで同報チャネル受信回路を起動することによって、電池の消耗を防ぐことができる。
【００１２】
本発明による無線端末は、同報チャネル受信回路で受信された放送情報が暗号化されていた場合、放送情報供給システムと自動的に交信して、暗号化放送情報の解読に使用する解読キーを取得するための手段を備えたことを更に他の特徴とする。
上記同報チャネルのように、複数の端末に共通のチャネルを利用した情報配信システムでは、配信情報に対する課金方法が問題となるが、有料情報を暗号化し、且つ、同報チャネルとは別の双方向チャネルを使用して各端末毎に解読キーを配布するようにすれば、放送情報供給システム側で、有料放送情報の利用者に対する個別的な課金が可能となる。
【００１３】
【発明の実施の形態】
図１は、本発明による放送情報配信システムの全体的な構成を示す。
図１において、１０は、放送情報となる各種のコンテンツを生成するためのコンテンツ供給システム、２０は、公衆ネットワークまたは専用線などからなる通信網１を介して上記コンテンツ供給システム１０に接続された通信プロバイダ・システムを示す。上記通信プロバイダ・システム２０は、コンテンツ供給システム１０から受信した放送情報を、無線通信装置３０を介して、複数のユーザ端末、例えば、移動端末ＭＳ６０（６０Ａ〜６０Ｎ）に放送する。
【００１４】
本発明は、セルラシステムなどの既存の無線通信システムを利用して放送情報を配信するものであり、上記通信プロバイダ・システム２０は、セル無線通信システムを構成する無線基地局ＢＳに組み込まれる。図１では、１つの放送情報プロバイダ・システム２０しか示していないが、実際の応用では、上記コンテンツ供給システム１０で編集された放送情報が、通信網１と、該通信網の一部を構成する移動交換機および無線基地局制御装置を介して、複数の無線基地局ＢＳに配布される。上記放送情報は、各無線基地局ＢＳに付随した通信プロバイダ・システム２０の記憶装置に蓄積され、無線基地局ＢＳの無線通信装置を介して無線端末に放送される。
【００１５】
コンテンツ供給システム１０では、処理装置１１に接続された入力装置１２と、ディスプレイなどの出力装置１３を使用して、放送すべきコンテンツ情報の入力と編集操作が行われる。編集されたコンテンツ情報は、記憶装置１４に一時的に記憶された後、通信装置１５から通信回線１に送信され、各プロバイダシステム２０に供給される。
各通信プロバイダ・システム（無線基地局ＢＳ）２０では、上記コンテンツ供給システム１０から送信されたコンテンツ情報を通信装置２６によって受信し、記憶装置２４に蓄積する。上記記憶装置２４に記憶されたコンテンツ情報は、タイマー２５で制御される所定の放送スケジュールに従って、無線通信装置３０のアンテナ３１から放送情報として放送される。尚、記憶装置２４に記憶されたコンテンツ情報は、必要に応じて、入力装置２２からのオペレータ操作によって出力装置２３に出力され、チェックまたは編集が加えられる。
【００１６】
本発明では、セルラ無線基地局ＢＳから移動端末６０に向かう下り方向のトラヒックチャネルのうちの１つを同報チャネルとして使用し、この同報チャネルで放送情報を送信することにより、単一の物理チャネルで不特定多数の無線端末に同時に放送情報を配布することを特徴としている。
同報型情報サービスは、第３世代移動通信システムでも検討されているが、具体的な構造提案に至っていない。本発明は、物理的に全端末が全チャネルを受信できるという無線通信システムの特性を活かし、現状のパケット通信を更に拡張するにことより、多数のユーザに比較的情報量の多い同報コンテンツ情報を効率的に配布することを可能とする。
【００１７】
エンドユーザが使用する無線端末６０としては、セルラシステムなどの無線通信システムの一部を構成している既存の移動端末に、同報チャネルで送信される放送情報を受信するための機能と、エンドユーザが所望するコンテンツの識別子を予約するための機能と、放送情報の中から予約されたコンテンツを選択的に受信して記憶装置に蓄積するための機能と、エンドユーザからの要求に応じて、蓄積されたコンテンツを出力するための機能とを付加したものが使用される。
本発明では、後述するように、１つの同報フレームで、それぞれが比較的多くの情報量を持つ複数種類のコンテンツ情報を放送する。上記同報フレームは、各基地局ＢＳからを繰り返して送信されるが、放送情報量が多いため、同報フレームの繰り返し周期は比較的長くなる。
【００１８】
図２は、本発明において、各基地局ＢＳから送信される制御フレームのフォーマットを示す。
制御フレーム１００は、通常の無線通信システムで基地局から移動端末に送信すべきシステム情報１０１の他に、本発明に特有の制御情報として、同報チャネルを特定するための同報チャネルパラメータ１０２と、次の同報フレームの送信時刻（以下、同報時刻と言う）１０３とを示す同報制御情報を含んでいる。
【００１９】
図３は、上記同報チャネル識別子１０２で指定された下りチャネル（以下、同報チャネルと言う）で、上記送信時刻１０３に送信が開始される同報フレーム２００のフォーマットを示す。
同報フレーム２００は、フレームヘッダ２１０と、複数のサブフレーム２２０（２２０Ａ〜２２０Ｋ）とからなる。本発明では、上記サブフレーム毎に異なった種類のコンテンツ情報を送信する。図示した例では、１つの同報フレーム２００でＫ種類のコンテンツ情報が、同報情報としてサービスされる。サブフレーム２２０Ａ〜２２０Ｋに含まれるコンテンツの種類は、フレームヘッダ２１０で示される。
【００２０】
各サブフレーム２２０の先頭には、サブフレームの開始と該サブフレームに含まれるコンテンツ情報の識別子を示すサブフレームヘッダ２２１が位置し、上記サブフレームヘッダ２２１の後には、複数個のパケット２２２（２２２Ａ〜２２２Ｌ）が続き、サブフレームの最後には、サブフレーム２２０の終了を示す終了フラグ２２４が位置している。各パケット２２２には、パケット単位で受信誤りを検出できるように、ＣＲＣ（Cyclic Redundancy Check）２２３（２２３Ａ〜２２３Ｌ）が付加されている。
【００２１】
同報フレームヘッダ２１０は、図４に示すように、フレーム定義フィールド２１１と、サブフレーム２２０Ａ〜２２０Ｋと対応した複数のビットからなる更新コンテンツ表示フィールド２１２と、サブフレーム２２０Ａ〜２２０Ｋと対応した複数個の固定長のコンテンツ案内フィールド２１３（２１３Ａ〜２１３Ｋ）とからなる。
【００２２】
上記フレーム定義フィールド２１１は、フレームヘッダ２１０の長さと、該フレームヘッダのフォーマットを示す定義情報を含む。
また、上記各コンテンツ案内フィールド２１３は、これと対応するサブフレーム２２０に含まれるコンテンツ情報を識別するためのコンテンツ識別子３０１と、コンテンツ名３０２と、コンテンツ情報の放送開始時刻３０３と、そのコンテンツ情報が有料か無料かを示す表示３０４と、有料コンテンツの場合の課金条件３０５と、コンテンツ情報のバージョン識別子３０６と、コンテンツのデータ長３０７とを含む。
【００２３】
上記課金条件３０５は、例えば、暗号化された有料コンテンツ情報を復号化するために必要な解読キーの有効期限と料金を示す。現在保持している解読キーが有効期限切れとなった端末装置は、コンテンツ供給システム１０に対して新たな解読キーの送信を要求する。コンテンツ供給システム１０は、端末装置からコンテンツＩＤを指定して新たな解読キーの送信要求を受けた時、上記端末装置に対して、要求日から上記解読キーの有効期限日までのサービス料金を課金する。
【００２４】
上記放送開始時刻３０３は、コンテンツ案内２１３と対応したサブフレーム２２０の放送開始時刻を示しており、この時刻をセルラシステムに固有のシステムクロックによって指定するようにすれば、同報フレームを送信する基地局ＢＳ側とこれを受信する移動端末側の同期が容易となる。
また、上記バージョン識別子３０６としては、例えば、更新されたコンテンツ情報の最初の放送日時を適用する。コンテンツ情報が更新されたか否かは、更新表示ビットパターン２１２からも判定できるが、各端末が、同報フレームヘッダ２１０の受信の都度、既に入手済みのコンテンツのバージョン識別子と、上記同報フレームヘッダ２１０が示すバージョン識別子３０６とを比較すれば、上記同報フレームのコンテンツ情報が受信済みのものか否かを判断できる。
【００２５】
図５は、基地局ＢＳと移動端末６０との間に形成される無線チャネルの構成を示す。
ＣＤＭＡ(Code Division Multiple Access）方式のセルラシステムでは、基地局ＢＳと各移動端末６０との間に、基地局から端末へ向かう下りチャネルとして、３つの制御チャネルと、ユーザ情報送信用の１つのトラヒックチャネルが使用され、端末から基地局へ向かう上りチャネルとして、２つの制御チャネルと、ユーザ情報送信用の１つのトラヒックチャネルが使用される。
【００２６】
図５において、下り共通制御チャネルＣＣＨ１は、例えば、セル情報、同期情報、他の制御チャネルで使用すべき拡散コードなど、無線システムの制御で必要なシステム情報を全ての端末に共通に送信するために使用される。上記下り共通制御チャネルＣＣＨ１自体の拡散コードは、各移動端末側で、予じめ定められたアルゴリズムによって特定できる。上り共通制御チャネルＣＣＨ１は、端末からの発信を基地局に通知するためのものであり、全ての端末で共通に使用される。
下り共通制御チャネルＣＣＨ２は、端末への着信通知と、端末への下り個別制御チャネルＣＣＨ３の割り当て制御に使用され、下り個別制御チャネルＣＣＨ３と上り個別制御チャネルＣＣＨ２は、着信通知後の端末と基地局との間での接続制御情報の送受信に使用される。
これらの制御チャネルの他に、基地局ＢＳは、異なる２ｎ種類の拡散コードを使用することによって、下り方向と上り方向にそれぞれｎ個のトラヒックチャネルＴＣＨ１〜ＴＣＨｎを形成し、着信端末または発信端末に対して、下り方向と上り方向の１対のトラヒックチャネルＴＣＨｉを割り当てる。
【００２７】
本発明では、上述した従来のセルラシステムにおけるチャネル構成に、下り方向の同報チャネルＢＣＨを追加し、この同報チャネルを利用して、通信プロバイダシステム２０が出力した同報フレーム２００を放送する。トラヒックチャネルＴＣＨ用の拡散符号のうちの１つを同報チャネルに割り当てても良い。
上記同報チャネルＢＣＨで使用する拡散コードや、同報フレーム２００の放送開始時刻などの同報制御情報は、図２の制御フレーム１００に示したように、下り共通制御チャネルＣＣＨ１で送信される制御フレーム１００の一部として送信することによって、各端末に同報チャネルＢＣＨの受信を可能とする。
【００２８】
ＣＤＭＡセルラシステムにおいて、上記同報チャネルＢＣＨは、電力制御を必要としないと言う点を除いて、他のトラヒックチャネルＴＣＨと同様の物理的構成で済む。また、端末側では、上記同報チャネルＢＣＨは、通常のトラヒックチャネルと同様の受信回路で受信可能である。各端末でユーザがトラヒックチャネルＴＣＨで通話中に、同報チャネルＢＣＨから同報フレーム２００を受信できるようにするためには、各端末に、トラヒックチャネルＴＣＨ用の受信回路とは別に共通チャネルＢＣＨ専用の受信回路を設ける必要がある。ユーザが通話中は同報フレームの受信を中断することにすれば、通常のトラヒックチャネル用の受信回路で拡散コードを切り替えることによって、上記同報フレームを受信できる。
【００２９】
図６は、上述した同報チャネルＢＣＨを介して同報フレーム２００を送信する機能を備えた本発明による無線基地局ＢＳの１実施例を示す。
基地局ＢＳは、基地局制御装置５０と通信するための通信装置（回線インタフェース）２６と無線通信装置３０とに接続された内部バス４０を有し、この内部バス４０に接続して、基地局の動作を制御するための処理装置３３と、上記処理装置３３が実行する各種の制御プログラムとデータを格納するためのメモリ３４を備えている。
【００３０】
図１で示した通信プロバイダ２０の機能は、上記基地局を構成する処理装置３３で実現できるが、図６の実施例では、ブロックＳＰで示すように、基地局ＢＳに必要な一般的な機能を果たす処理装置３３とは別に、上記通信プロバイダ２０の機能を担う処理装置２１を設けた構成としている。コンテンツ供給システム１０で生成されたコンテンツ情報は、通信網から移動交換局５１を介して基地局制御装置５０に送信され、上記基地局制御装置５０によって複数の基地局ＢＳに配布される。各基地局ＢＳでは、上記コンテンツ情報を通信装置２６と内部バス４０とインタフェース４７を介して、上記通信プロバイダＳＰの記憶装置２４に転送する。
【００３１】
各基地局ＢＳの無線通信装置３０は、複数の送信回路３５Ａ〜３５Ｃおよび３６と、複数の受信回路３７Ａ、３７Ｂとを含む。
送信回路３５Ａは下り共通制御チャネルＣＣＨ１用、送信回路３５Ｂは下り共通制御チャネルＣＣＨ２用のものであり、これらの送信回路は、内部バス４０を介して接続された処理装置３３から、送信すべき制御情報を受信する。尚、信号線４１Ａと４１Ｂは、上記各送信回路３５Ａ、３５Ｂで使用すべき拡散符号を指定するための制御信号線を示す。
【００３２】
送信回路３５Ｃは、下り個別制御チャネルＣＣＨ３用とトラヒックチャネルＴＣＨ用に兼用され、複数のトラヒックチャネルと対応して複数個の送信回路が用意されている。これらの送信回路３５Ｃは、処理装置３３から内部バス４０を介して制御信号線４１Ｃに出力される拡散符号の指定信号によって、下り個別制御チャネルＣＣＨ３からトラヒックチャネルＴＣＨへ、あるいはその逆のチャネル切替が行われる。また、これらの送信回路４１Ｃは、回線インタフェース３２に接続されており、下り個別制御チャネルＣＣＨ３として使用中は、基地局制御装置５０あるいは該制御装置５０に接続された移動交換局が発生する接続制御信号を送信し、トラヒックチャネルＴＣＨとして使用中は、通信相手装置から基地局制御局５０を経由して受信された通話信号を送信する。
【００３３】
送信回路３６は、本発明に特有の同報チャネルＢＣＨ用のものであり、インタフェース回路４６を介して通信プロバイダＳＰから同報フレームを受信し、これを制御信号線４２で指定された拡散符号で符号拡散（スペクトル拡散）して送信する。
上記各送信回路３５Ａ〜３５Ｃおよび３６からの出力されたスペクトル拡散信号は、合成回路３８によって合成された後、無線部３９で発生する所定周波数のキャリア信号に重畳され、アンテナ３１から無線信号として送信される。
【００３４】
一方、アンテナ３１からの受信信号は、キャリア選択、周波数変換、フィルタリング、アナログ／ディジタル変換機能を持つ無線部３９を通過した後、受信回路３７Ａと複数の受信回路３７Ｂに入力される。
受信回路３７Ａは、上り共通制御チャネルＣＣＨ１の制御信号を受信し、受信した制御信号を内部バス４０を介して処理装置３３に転送する。また、各受信回路３７Ｂは、上り個別制御チャネルＣＣＨ２の制御信号とトラヒックチャネルＴＣＨの信号を受信し、これらの受信信号を通信装置３２を介して基地局制御装置５０に転送する。これらの受信回路３７Ａ、３７Ｂの受信チャネルは、処理装置３３から信号線４３Ａ、４３Ｂに与えられる拡散符号指定信号によって決まり、受信回路３８Ｂにおける受信チャネルＣＣＨ１からＴＣＨへの切り替えは、逆拡散に使用する拡散符号を切り替えることによって達成される。
【００３５】
通信プロバイダＳＰは、内部バス４０に接続されたインタフェース回路４７を介して基地局処理装置３３と通信し、処理装置３３が下り共通制御チャネルＣＣＨ１で移動端末に通知する同報時刻１０３に同期して、次の同報フレーム２００をインタフェース回路４６を介して同報チャネル送信回路に送出する。なお、同報フレームを可変長とし、先行フレ−ムと後続フレームとの送信間隔を調整することにより、同報フレームの送信を所定の周期で繰り返すようにすれば、処理装置３３とプロバイダＳＰとの間の同期制御が容易になる。
【００３６】
図７は、移動端末６０の構成の１例を示す。
移動端末６０は、内部バス７０に接続された処理装置６３と、上記処理装置が実行する各種のプログラムおよびデータを記憶するためのメモリ６４と、送信回路６５と、複数の受信回路６６Ａ〜６６Ｃと、電源制御回路６７を備える。
【００３７】
送信回路６５は、上り方向の共通制御チャネルＣＣＨ１と、個別制御チャネルＣＣＨ２と、トラヒックチャネルＴＣＨに共用され、これらのチャネル間の切り替えは、処理装置６３から信号線７１に与えられる拡散符号指定信号に応じて行われる。制御チャネルＣＣＨ１用またはＣＣＨ２用として動作中は、処理装置６３から内部バス７０に出力された制御情報がセレクタ７３を介して送信回路６５に供給され、トラヒックチャネルＴＣＨ用として動作中は、音声符号化複号化回路８１で符号化されたマイクロフォン８２からの入力音声が上記セレクタ７３を介して送信回路６５に供給され、送信回路でスペクトル拡散された送信信号は、無線部６９で所定のキャリア周波数に重畳された後、アンテナ６１から無線信号として送出される。
【００３８】
受信回路６６Ａは、下り共通制御チャネルＣＣＨ１に専用の受信回路、受信回路６６Ｂは、共通制御チャネルＣＣＨ２と、個別制御チャネルＣＣＨ３と、トラヒックチャネルＴＣＨとに共用の受信回路、受信回路６６Ｃは、同報チャネルＢＣＨに専用の受信回路であり、これらの受信回路は、処理装置６から信号線７２Ａ、７２Ｂ、７２Ｃに与えられる逆拡散符号指定信号に応じて受信チャネルを選択する。
受信回路６６Ａからの受信信号は、内部バス７０を介して処理装置６３に取り込まれ、受信回路６６Ｂからの出力信号は、受信回路が制御チャネル用として動作中は内部バス４０を介して処理装置６３に取り込まれ、トラヒックチャネル用として動作中は、セレクタ７４を介して音声符号化復号化回路８１に供給され、復号化された音声信号がスピーカ８３に出力される。受信回路６６Ｃで選択的に受信された放送情報は、内部バスを介して記憶装置８０に蓄積される。
【００３９】
移動端末６０は、ユーザインタフェースとして、着信を報知するためのベル８４と、文字情報を表示するための表示装置８５と、テンキーその他のファンクションキーを含む入力装置８６と、外部の記憶装置やコンピュータ装置と接続するためのインタフェース回路８７を備えている。放送情報記憶用の記憶装置８０は、例えば、フラッシュメモリ等の比較的大容量のメモリであり、記憶装置８０から読み出された放送情報は、内部バス７０を介して、音声符号化復号化回路６３または表示装置８５に出力される。
【００４０】
電源制御回路６７は、移動端末の構成要素となる上述した各種の回路部分への電源電圧の供給を選択的に制御するためのものであり、移動端末が待ち受け状態にある間は、電池の消耗をできるだけ抑えるために、処理装置６３や共通制御チャネルＣＣＨ１の送受信回路等の必須要素を残して、他の回路への電源供給を停止する。後述するように、同報チャネルの受信回路６６Ｃは、フレームヘッダ２１０とユーザが予約した放送コンテンツ情報を含む特定のサブフレームの受信期間を除いて、電源の供給が停止される。
【００４１】
図８は、基地局の無線通信装置３０に含まれる送信回路３５の基本的構成を示す。移動端末６０を構成する送信回路６５も基本的に同様の構成からなる。
インタフェース回路３５１に入力された送信情報は、送信データバッファメモリ３５２を介して、誤り訂正符号器３５３に供給される。上記誤り訂正符号器３５３は、インターリーバ（interleaver）と、ターボ符号器または畳み込み符号器からなる。上記誤り訂正符号器３５３で訂正符号化された送信信号は、変調回路３５４に入力され、所定の変調処理を受けた送信信号が符号拡散回路３５５に入力される。符号拡散回路３５５は、入力信号を拡散符号発生器３５６から出力された拡散符号によって符号拡散（スペクトル拡散）した後、無線回路３９に出力する。上記拡散符号発生器３５６は、処理装置が信号線４１に出力した拡散符号指定信号に応じた拡散符号を上記符号拡散回路３５５に供給する。
【００４２】
図９は、基地局の無線通信装置３０に含まれる受信回路３７の基本的な構成を示す。移動端末の受信回路６６も基本的にはこれと同様の構成からなる。
無線回路３９から入力された受信信号は、逆拡散回路３７１に入力され、逆拡散符号発生器３７２から与えられた拡散符号で逆拡散した後、検波回路３７３に入力される。上記拡散符号は、信号線４３から与えられた符号指定信号によって決まる。検波回路３７３で所定の復調処理を受けた受信信号は、誤り訂正復号器３７４で誤り訂正した後、受信データバッファメモリ３７５に一時的に蓄積され、インフェース回路３７６を介して内部バス４０に出力される。上記誤り訂正復号器３７４は、デインターリーバ（deinterleaver）と、ターボ復号器またはビタビ復号器とからなる。
【００４３】
図１０は、同報フレームヘッダ２１０の受信時に移動端末６０が形成するコンテンツ案内テーブル（ＴＢＬ１）４００の構成を示す。
コンテンツ案内テーブル４００は、同報フレームヘッダ２１０に含まれるコンテンツ案内フィールド２１３Ａ〜２１３Ｋと対応した複数のレコードからなり、各レコードは、コンテンツ案内フィールド２１３に含まれるデータ項目３０１〜３０７と対応した複数のデータ項目４０１〜４０７からなる。
【００４４】
図１１は、移動端末６０が形成するコンテンツ予約テーブル（番組予約テーブルＴＢＬ２）５００の構成を示す。
コンテンツ予約テーブル５００は、ユーザが移動端末で予約操作した時に形成され、予約された放送コンテンツ情報と対応した少なくとも１つのレコードからなる。
各レコードは、予約番号５０１と、コンテンツＩＤ５０２と、有料／無料表示５０３と、バージョン識別子５０４と、記憶装置８０に蓄積されたコンテンツ情報を読み出すためのファイルポインタ（またはファイル名称）５０５と、コンテンツがエラーなく受信できたか否かを示す完了表示５０６と、暗号化コンテンツの解読に必要な暗号解読キー５０７と、解読キーの有効期限５０８とを含む。
【００４５】
尚、暗号解読キーの実体は別の記憶エリアに格納しておき、フィールド５０７には上記解読キーを読み出すためのポインタを記憶するようにしてもよい。これらの項目のうち、項目５０１〜５０３のデータは、ユーザが予約操作した時にサービス案内テーブル４００から複写され、その他の項目のデータは、後述するように、同報チャネルＢＣＨから目的のコンテンツ情報を受信した時点で設定される。
【００４６】
図１２は、移動端末６０の処理装置６３が実行する同報放送情報受信プログラムのフローチャートを示す。
移動端末の主電源がオン状態１１０になった時、受信回路６６Ａで共通制御チャネルＣＣＨ１から受信される制御フレーム１００から同報制御情報を抽出し（ステップ１１１）、同報時刻１０３をタイマＴ１に設定する（ステップ１１２）。同報時刻になって、タイマＴ１の割込み１２０が発生すると、同報チャネルＢＣＨの受信回路６６Ｃを起動し、同報フレームのフレームヘッダ２１０を受信し（ステップ１２１）、上記フレームヘッダに含まれるコンテンツ案内２１３に従って、図１０に示したコンテンツ案内テーブル（ＴＢＬ１）４００を形成する（ステップ１２２）。
【００４７】
次に、予約テーブル（ＴＢＬ２）のレコードを指定するためのパラメータｐの値を初期値０に設定し（ステップ１２３）、パラメータｐの値をインクリメント（ステップ１２４）した後、予約テーブル５００の第ｐ番目のレコードＴＢＬ２（ｐ）に予約データがあるか否かを判定する（ステップ１２５）。もし、予約データがあった場合は、予約されたコンテンツが既に入手済みか否かを判定する（ステップ１２６）。上記判定は、予約レコードＴＢＬ２（ｐ）に含まれるバージョン識別子５０４と、コンテンツ案内テーブル４００において上記予約レコードＴＢＬ２（ｐ）と同一コンテンツＩＤをもつレコードＴＢＬ１（ｊ）のバージョン識別子４０６とを比較し、予約レコードＴＢＬ２（ｐ）の完了表示５０６をチェックすることによって達成される。
【００４８】
予約レコードＴＢＬ２（ｐ）と案内レコードＴＢＬ１（ｊ）のバージョン識別子が一致し、完了表示５０６に完了フラグが設定してあった場合は、目的のコンテンツが既に入手済みとなっている。この場合は、ステップ１２４に戻って、次の予約レコードについて同様の判定を繰り返す。
バージョン識別子が不一致の場合、または、完了表示５０６に完了フラグが未設定の場合は、上記案内レコードＴＢＬ１（ｊ）の放送開始時刻４０３をタイマＴ２に設定し（ステップ１２７）、上記案内レコードＴＢＬ１（ｊ）のバージョン識別子４０６を予約レコードＴＢＬ２（ｐ）のバージョン識別子５０４に書き込み、完了表示５０５をクリア（ステップ１２８）した後、同報チャネル受信回路６６Ｃへの電源供給をストップし（ステップ１２９）、タイマ割込みを待つ。
【００４９】
ステップ１２５で、予約レコードＴＢＬ２（ｐ）に予約データがなければ、現在の同報フレームでこれ以上受信動作する必要がないため、同報チャネル受信回路６６Ｃへの電源供給をストップし（ステップ１３０）、後述する暗号解読キー入手処理ルーチン（ステップ１５０）を実行した後、前述した同報制御情報の受信ステップ１１１、１１２を実行する。
【００５０】
タイマＴ２の割込み１４０が発生すると、同報チャネル受信回路６６Ｃを起動し、予約レコードＴＢＬ２（ｐ）と対応する目的コンテンツの情報パケットを含むサブフレーム２２０の受信を開始する（ステップ１４１）。受信された情報パケット２２２は、順次に記憶装置８０に蓄積し（ステップ１４３）、サブフレームの終了フラグ２２４が検出された時（ステップ１４２）、予約レコードＴＢＬ２（ｐ）にファイルポインタ５０５を設定し、完了表示５０６に完了フラグを設定（ステップ１４５）した後、ステップ１２４に戻って、次の予約レコードについて上述した動作を繰り返す。なお、受信パケットに訂正不能なエラーが発生した場合は、次の同報フレームで同一コンテンツを再受信する必要があるために、完了表示５０６にフラグは設定しない。
【００５１】
以上のプログラム動作によって、各移動端末６０は、基地局ＢＳが同報チャネルＢＣＨに新たな同報フレーム２００を送信する都度、タイマＴ１割込みによってコンテンツ案内情報を受信し、タイマＴ２割込みによって目的のコンテンツ情報を選択的に受信できる。
また、同報フレームの全長に対してユーザが所望する目的の放送情報の占める割合が著しく低い場合でも、不要情報の送信期間は同報チャネル受信回路への電源供給をストップすることにより、電池の消耗を抑制しつつ、ユーザが所望する最新の放送情報を記憶装置８０に蓄積できる。
【００５２】
図１３は、暗号解読キー入手処理ルーチン１５０の詳細を示す。このルーチン１５０は、受信完了したコンテンツが暗号化された有料コンテンツの場合に、コンテンツ供給システム１０から解読キーを入手するためのものである。
予約テーブル５００のレコードを特定するためのパラメータｐを初期化しておき（ステップ１５１）、上記パラメータｐの値をインクリメント（ステップ１５２）した後、ｐ番目の予約レコードＴＢＬ２（ｐ）に予約データがあるか否かを判定する（ステップ１５３）。予約データがあった場合は、まず、有料表示５０３と完了表示５０６を判定する（ステップ１５４）。予約されたコンテンツが無料、または正しく受信されていなかった場合は、ステップ１５２に戻り、次の予約レコードについて、上述した判定を繰り返す。
【００５３】
有料コンテンツを正しく受信していた場合は、予約レコードＴＢＬ２（ｐ）の解読キー有効期限５０８をチェックする（ステップ１５５）。解読キーの有効期限が切れていなければ、ステップ１５２に戻って、次の予約レコードについて、上述した判定を繰り返す。解読キーの有効期限が切れているか、あるいは、有効期限５０８にデータが未設定の場合は、コンテンツ供給システム１０から新たな解読キーを入手する必要がある。
【００５４】
この場合、先ず、コンテンツ供給システム１０と端末との間の回線が接続済みか否かをチェックし（ステップ１５７）、回線が未接続の場合は、予め記憶されている電話番号を自動発呼し、セルラの一般の通信回線を介してコンテンツ供給システム１０と接続する（ステップ１５８）。コンテンツ供給システム１０からの応答によって回線が接続されたことを確認すると、コンテンツＩＤ５０２と端末識別子（電話番号）とを含む暗号解読キー要求メッセージを送信する（ステップ１５９）。また、相手装置から暗号解読キーを含むメッセージを受信すると、これを予約レコードＴＢＬ２（ｐ）の解読キー５０７として記憶し（ステップ１６０）、解読キーを受信したことを示す応答メッセージを送信（ステップ１６１）した後、ステップ１５２に戻る。解読キーを正常に受信できなかった場合は、再度、暗号解読キー要求メッセージを送信する。
【００５５】
ステップ１５３で、予約レコードＴＢＬ２（ｐ）に予約データがない場合、回線が接続中か否かをチェックし（ステップ１６２）、回線が接続中であれば、これを切断（ステップ１６３）した後、このルーチンを終了する。尚、コンテンツ供給システム側では、端末装置６０がステップ１６１で送信した応答メッセージを受信すると、メッセージの受信日から解読キーの有効期限日までのコンテンツ情報の使用料金を計算し、要求元のユーザ（端末装置の電話番号）に課金する。
図１４は、ユーザからのコンテンツ予約要求に応答して移動端末６０が実行するプログラムのフローチャートを示す。
入力装置８６からコンテンツ予約要求を受けると、コンテンツ案内テーブル４００を参照して、表示装置８５に予約画面を表示する（ステップ６０１）。
予約画面には、ユーザが所望のコンテンツを選択するのに必要な情報として、例えば、上記コンテンツ案内テーブル４００におけるコンテンツＩＤ４０１、コンテンツ名称４０２、有料表示４０３、課金条件４０５を含むエントリを表示する。また、既に予約テーブル５００に予約レコードが登録済みの場合は、予約レコードと対応するエントリに該当コンテンツが予約済みであることを示すマークを表示する。
【００５６】
小型の移動端末では表示画面のサイズに制約があるため、端末の表示画面には、予約画面を構成する複数のエントリを順次にスクロールして表示することが望ましい。上記予約画面を表示中に、所望コンテンツのエントリをユーザが選択操作した時、これと対応する予約レコードを予約テーブル５００に生成する（ステップ６０３）。ユーザが予約終了を示す入力操作を行った場合は（ステップ６０２）、このルーチンを終了する。
【００５７】
図１５は、ユーザからの放送情報出力要求に応答して移動端末６０が実行するプログラムのフローチャートを示す。
入力装置８６から放送情報出力要求を受けると、表示装置８５にコンテンツ選択画面を表示し（ステップ６１１）、ユーザがコンテンツを指定するのを待つ（ステップ６１２）。コンテンツ選択画面としては、例えば、予約テーブルの各予約レコードと対応して案内テーブル４００から読み出されたコンテンツ名称４０２を表示する。
【００５８】
コンテンツ選択画面の表示中に、ユーザがコンテンツの選択操作を行うと、選択されたコンテンツが有料か否かをチェックし（ステップ６１３）、もし、有料コンテンツの場合は、このコンテンツと対応する解読キー５０８を読み出し、暗号解読の準備をしておく（ステップ６１４）。次に、予約テーブル５００に記憶されているファイルポインタ５０４に基づいて、記憶装置８０から目的のコンテンツ情報の読み出しを開始し、順次に出力装置に出力する（ステップ６１５〜６１６）。目的のコンテンツ情報が暗号化されている場合は、記憶装置８０から読み出された情報を次々と解読しながら、出力装置に転送する。上記出力装置へのコンテンツの転送は、記憶装置から目的コンテンツの全ての情報を読み終えるまで繰り返される（ステップ６１７）。
【００５９】
図６に示した実施例では、通信プロバイダＳＰを基地局ＢＳの処理装置３３とは別の処理装置２１で構成したが、上記通信プロバイダの機能と基地局機能とを同一の処理装置３３で実現したい場合は、記憶装置２４を内部バス４０に結合し、処理装置３３によって上記記憶装置２４から同報フレームを読み出し、これを内部バス４０を介して同報チャネル送信回路３６に供給するようにすればよい。
【００６０】
また、実施例では、各無線基地局ＢＳに通信プロバイダ機能ＳＰを装備したが、通信プロバイダ機能を基地局制御装置５０に装備してもよい。この場合、基地局制御装置５０が同一の同報フレームを複数の基地局ＢＳに配布し、各基地局が、ユーザトラヒックの１つとして基地局制御装置から受信した同報フレームを同報チャネル送信回路に送出する。また、基地局制御装置から制御情報として別途通知された同報フレーム放送時刻を共通制御フレームで送信すればよい。
【００６１】
【発明の効果】
以上の説明から理解できるように、本発明によれば、無線通信システムの基地局ＢＳから複数種類の放送情報を同報チャネルで送信しているため、無線端末あるいは移動端末の各ユーザに手軽で安価に放送情報を提供できる。
また、本発明によれば、放送コンテンツ案内と放送時刻を予じめ放送しておき、各端末装置では、ユーザが予約した特定コンテンツの放送期間に選択的に受信回路を動作させ、受信した情報を蓄積するようにしているため、放送情報の入手に必要な受信動作期間を限定でき、電池の消耗を抑制することが可能となる。
【００６２】
本発明によれば、ユーザが予約した放送情報が、コンテンツ更新の都度、各端末内の記憶装置に自動的に蓄積され、ユーザからの要求に応じて出力できるようになっているため、各端末ユーザは、所望の放送情報を自分に都合の良いタイミングで参照できる。また、各端末に、一般通話チャネルを介して情報サービスシステムと自動的に交信して、暗号解読キーを入手するための通信手順実行機能をもたせることにより、有料放送情報を暗号化して放送することが可能となる。この場合、上記通信手順の完了を契機として、解読キーの要求元ユーザに放送情報の課金処理を行うことによって、放送情報の使用料金を確実に回収することも可能になる。
【図面の簡単な説明】
【図１】本発明による放送情報配信システムの全体的な構成を示すブロック図。
【図２】基地局から送信される制御フレームのフォーマットの１例を示す図。
【図３】基地局から送信される同報フレームのフォーマットの１例を示す図。
【図４】上記同報フレームのヘッダ部の構成の１例を示す図。
【図５】本発明による放送情報配信システムの１実施例において、基地局と移動端末との間に形成される無線チャネルの構成を示す図。
【図６】基地局の構成の１例を示すブロック図。
【図７】移動端末の構成の１例を示すブロック図。
【図８】基地局の送信回路の詳細を示すブロック図。
【図９】基地局の受信回路の詳細を示すブロック図。
【図１０】移動端末で形成されるコンテンツ案内テーブルの構成を示す図。
【図１１】移動端末で形成されるコンテンツ予約テーブルの構成を示す図。
【図１２】本発明において、移動端末によって実行される放送情報を受信するためのプログラムの１実施例を示すフローチャート。
【図１３】図１２のプログラムにおける暗号解読キー取得処理ルーチン１５０の詳細を示すフローチャート。
【図１４】ユーザからのコンテンツ予約要求に応答して移動端末で実行されるプログラムの１実施例を示すフローチャート。
【図１５】ユーザからの放送情報出力要求に応答して移動端末で実行されるプログラムの１実施例を示すフローチャート。
【符号の説明】
１０：コンテンツ供給システム、２０：通信プロバイダ、６０：無線端末
１００：制御フレーム、１０２：同期チャネルパラメータ、１０３：同報時刻、
２００：同報フレーム、２１０：フレームヘッダ、２２０：サブフレーム、
４００：コンテンツ案内テーブル、５００：コンテンツ予約テーブル
【図１】
0003822997.tif 000002
【図２】
0003822997.tif 000003
【図３】
0003822997.tif 000004
【図４】
0003822997.tif 000005
【図５】
0003822997.tif 000006
【図６】
0003822997.tif 000007
【図７】
0003822997.tif 000008
【図８】
0003822997.tif 000009
【図９】
0003822997.tif 000010
【図１０】
0003822997.tif 000011
【図１１】
0003822997.tif 000012
【図１２】
0003822997.tif 000013
【図１３】
0003822997.tif 000014
【図１４】
0003822997.tif 000015
【図１５】
0003822997.tif 000016